(57)【要約】【課題】通信料の削減を図ると共に、移動局が無通信エリアにある場合でも、その移動局の位置を正しく把握できるゴルフ場運用管理システムを提供する。【解決手段】ゴルフ場内に存在する移動局３は、その位置を検出するＧＰＳ受信機４８と、当該移動局３の予測される時刻と位置とを関連付けた移動予定データを記憶する移動予定データ記憶手段４６と、ＧＰＳ受信機４８からの検出出力で得られた当該移動局３のある時刻における実際の位置が、移動予定データ記憶手段４６に記憶される同じ時刻の位置から所定値を超えて離れているときにのみ、その実際の位置をサーバ６に送出する位置判定手段４４とを備える。またサーバ６は、移動局３と電気通信回線５を介して接続され、移動局３からの実際の位置を受取ると、移動予定データ記憶手段４６に記憶される移動予定データを上書きするために、更新した移動予定データを移動局３に送出する。【選択図】図１
2013055556.tif 000002
【特許請求の範囲】
【請求項１】
ゴルフ場内に存在する複数の移動局と、この移動局と電気通信回線を介して接続されるセンター装置とを備え、
前記移動局は、当該移動局の位置を検出する位置検出装置と、
当該移動局の予測される時刻と位置とを関連付けた移動予定データを記憶する移動予定データ記憶手段と、
前記位置検出装置からの検出出力によって得られた当該移動局のある時刻における実際の位置が、前記移動予定データ記憶手段に記憶される同じ時刻の位置から所定値を超えて離れているときにのみ、前記実際の位置を前記センター装置に送出する位置判定手段と、を備え、
前記センター装置は、前記移動局からの前記実際の位置を受取ると、前記移動予定データ記憶手段に記憶される移動予定データを上書きするための更新した移動予定データを、当該移動局に送出する構成であることを特徴とするゴルフ場運用管理システム。
【請求項２】
前記センター装置に接続する基地局をさらに備え、
前記センター装置は、前記移動局に送出する更新した移動予定データを、前記基地局にも送出するように構成し、
前記基地局は、前記複数の移動局に関する全ての移動予定データを記憶する全移動予定データ記憶手段と、
前記センター装置から前記移動局に送出する更新した移動予定データを受取ると、その移動局に関して前記全移動予定データ記憶手段に記憶される移動予定データを、前記更新した移動予定データに書き換える移動予定データ取得手段と、
前記全移動予定データ記憶手段に記憶する移動予定データから、各々の前記移動局の位置を表示する表示手段と、を備えたことを特徴とする請求項１記載のゴルフ場運用管理システム。
【発明の詳細な説明】
【技術分野】
【０００１】
本発明は、ゴルフ場内における複数のゴルファーの位置を認識して、運用管理を行なうゴルフ場運用管理システムに関する。
【背景技術】
【０００２】
一般に、ゴルフ場においては、数人のプレーヤからなる各パーティを一定時間間隔で順次スタートさせながら、複数のパーティが一つのホールに集中しないように、ゴルフ場全体で各ホール順にプレーを円滑に進行させるのが望ましいとされる。一方、近年はコスト削減のためにキャディを廃止する傾向があり、キャディのいない状態で各パーティが円滑なプレーを進行させることは極めて難しい。
【０００３】
そこで、各パーティに対応して、キャディに代わる移動可能なゴルフカート（キャディカート）をゴルフ場内に多数配置し、各ゴルフカートのリアルタイムな位置をクラブハウスに設けた基地局で認識し、円滑なプレーの進行に必要な指示情報を、選択したゴルフカートに送信するゴルフ場運用管理システムが、例えば本願出願人による特許文献１などで提示されている。
【先行技術文献】
【特許文献】
【０００４】
【特許文献１】特開２００４−２９３６３号公報
【発明の概要】
【発明が解決しようとする課題】
【０００５】
しかし、現状のゴルフ場運用管理システムでは、次のような欠点が存在する。
【０００６】
基地局とゴルフカートに搭載した移動局との間の通信は、業務用無線機を使用して送受信が行われる。この場合、基地局を自分で任意の位置に設置でき、また通信距離が比較的広いため、一箇所の基地局があれば、ゴルフ場全体をカバーできる利点がある。しかし欠点として、通信速度が遅いことや、基地局を自分で設置しなければならない煩わしさがある。
【０００７】
一方、ゴルフカートに搭乗するプレーヤがタブレット端末などの携帯端末を保有する場合、その携帯端末を移動局として、基地局と移動局との間の通信に、携帯電話網などの汎用のインフラ手段を利用することも考えられる。これは業務用無線機に比べて通信速度が速く、基地局を自分で設置しなくてもよい利点がある。しかし、キャリア（電気通信事業者）に対する通信料の支払いを強いられることや、基地局を自分で任意の位置に設置できないので、ゴルフ場内に通信が不能な無通信エリアが存在する場合に、その無通信エリア内の移動局からの通信が行えない欠点がある。
【０００８】
そこで、本発明は上記問題点に鑑み、通信料の削減を図ると共に、移動局が無通信エリアにある場合でも、その移動局の位置を正しく把握できるゴルフ場運用管理システムを提供することを主な目的とする。
【課題を解決するための手段】
【０００９】
請求項１の発明は、ゴルフ場内に存在する複数の移動局と、この移動局と電気通信回線を介して接続されるセンター装置とを備え、前記移動局は、当該移動局の位置を検出する位置検出装置と、当該移動局の予測される時刻と位置とを関連付けた移動予定データを記憶する移動予定データ記憶手段と、前記位置検出装置からの検出出力によって得られた当該移動局のある時刻における実際の位置が、前記移動予定データ記憶手段に記憶される同じ時刻の位置から所定値を超えて離れているときにのみ、前記実際の位置を前記センター装置に送出する位置判定手段と、を備え、前記センター装置は、前記移動局からの前記実際の位置を受取ると、前記移動予定データ記憶手段に記憶される移動予定データを上書きするための更新した移動予定データを、当該移動局に送出する構成となっている。
【００１０】
また請求項２の発明において、前記センター装置に接続する基地局をさらに備え、前記センター装置は、前記移動局に送出する更新した移動予定データを、前記基地局にも送出するように構成し、前記基地局は、前記複数の移動局に関する全ての移動予定データを記憶する全移動予定データ記憶手段と、前記センター装置から前記移動局に送出する更新した移動予定データを受取ると、その移動局に関して前記全移動予定データ記憶手段に記憶される移動予定データを、前記更新した移動予定データに書き換える移動予定データ取得手段と、前記全移動予定データ記憶手段に記憶する移動予定データから、各々の前記移動局の位置を表示する表示手段と、を備えている。
【発明の効果】
【００１１】
請求項１の発明によれば、移動局のある時刻における実際の位置が、移動予定データ記憶手段に記憶される同じ時刻の位置から所定値を超えて離れているときには、センター装置に実際の位置を知らせるために、センター装置への通信を行なうが、それ以外は、当該移動局が無通信エリアに存在する否かに拘らず、センター装置への通信を行なわない。したがって、移動局からセンター装置に対して、必要以外の通信を抑制することで、電気通信回線を利用する上での通信料の削減を図ることが可能になる。また、センター装置への通信を行なうのは、移動局のある時刻における実際の位置と、移動予定データ記憶手段に記憶される同じ時刻の位置との間の距離が、所定値を超えている場合に限られるので、移動局が無通信エリアにある場合でも、その移動局の位置を正しく把握できる。
【００１２】
請求項２の発明によれば、センター装置から基地局への通信を必要最小限に抑えつつ、ゴルフ場内における各移動局の正しい位置を、表示手段によって時々刻々と表示することができる。
【図面の簡単な説明】
【００１３】
【図１】本発明におけるゴルフ場運用管理システムの全体構成を表したブロック図である。
【図２】同上、基地局の機能的な構成を示すブロック図である。
【図３】同上、移動局の機能的な構成を示すブロック図である。
【図４】同上、主な動作を説明するフローチャートである。
【発明を実施するための形態】
【００１４】
以下、本発明におけるゴルフ場運用管理システムの一実施例について、添付図面を参照しながら説明する。
【００１５】
図１は、ゴルフ場運用管理システム１の概要をあらわす全体構成図である。同図において、２はゴルフ場運用管理システム１の全体を統括する基地局で、これは例えばクラブハウスの管理室（マスター室など）に設置される。また３は、ゴルフ場内の図示しないプレーヤと共に移動する移動局で、これらの基地局２と移動局３は、何れもネットワークとしての電気通信回線５を介して、共通するセンター装置としてのサーバ６に接続される。電気通信回線５は周知のように、複数の情報処理装置の間において双方向に通信可能な伝送路であり、例えば携帯電話網５Ａやインターネット５Ｂなどの組み合わせにより構成される。ここでのサーバ６は、基地局２や移動局３からの要求に応じて、必要なデータを要求のあった基地局２や移動局３に送出するものであるが、サーバ６の機能そのものを基地局２に含めてもよい。
【００１６】
基地局２は、ゴルフ場内におけるプレーヤ全体の運用を自動管理するためのもので、電気通信回線５を介してサーバ６に接続可能な本体１１と、本体１１に接続する表示手段としてのモニター装置１２と、同じく本体１１に接続する操作手段としてのキーボード１３などを備えて構成される。基地局２としては、例えば一乃至複数のコンピュータや、一乃至複数のサーバ装置を使用することができる。また本体１１は、何れも図示しないが演算処理手段や記憶手段を内蔵し、記憶手段には各種データや基地局用ソフトウェアの保存領域がそれぞれ形成されており、この基地局用ソフトウェアを起動させることにより、キーボード１３からの操作に基づき必要なデータをサーバ６から読み出して、例えばモニター装置１２に各移動局３の位置をリアルタイムで表示させたり、スタートした各プレーヤが保有する移動局３の一覧を表形式で表示させたり、ゴルフ場内で遅れの大きい移動局３を、ホール上の位置や遅れ時間と共に順番に表示させたりすることが可能になる。
【００１７】
移動局３は、ゴルフ場内を移動するプレーヤが保有する携帯可能な端末として、各プレーヤに１台ずつ配設される。本実施例では後述するように、携帯電話網５Ａを介してインターネット５Ｂからサーバ６に接続する送受信部４７と、移動局３自体の位置を検出するＧＰＳ受信機４８とを内蔵した携帯情報端末としてのタブレット端末を、移動局３として用いている。
【００１８】
移動局３は、平板型の本体２２の表面に、表示手段として液晶パネルで構成される表示器２５と、操作手段として表示器２５の上面に設けられた位置入力装置に相当するタッチパッド２６とを備え、表示器２５上の透明なタッチパッド２６を直接触って操作する構成となっている。また、本体２２の内部には図示しないが、演算処理手段や記憶手段が内蔵される。この記憶手段には各種データや移動局用ソフトウェアの保存領域がそれぞれ形成されており、この移動局用ソフトウェアを起動させることにより、必要なデータをサーバ６から読み出して、例えば表示器２５にグリーンや周辺のプレーヤとの間の距離を表示させたり、プレーの進行を促す遅延プレーを表示させたりすることが可能になる。
【００１９】
図２は、本発明に関連する基地局２の機能的な構成を示したものである。同図において、３１は前記本体１１に組み込まれた制御手段であり、この制御手段３１は前述した基地局ソフトウェアにより動作する移動予定データ取得手段３２と移動局位置表示制御手段３３の他に、現在時刻をカウントする計時手段３４をそれぞれ備えている。また３５は、前述した基地局２の記憶手段の中で、特に全ての移動局３について、各移動局３の運用に関する移動予定データを記憶するために設けられた全移動予定データ記憶手段である。ここでいう移動予定データとは、移動局３を特定する識別子に、その移動局３の予測される時間と位置とを関連付けたもので、これによりどの移動局３が、何時どの場所に存在するのかを予測することができる。
【００２０】
本体１１にはその他に、電気通信回線５に接続する送受信部３６を備えており、この送受信部３６を通して、基地局２とサーバ６との間で各種データの双方向通信が可能になっている。移動予定データ取得手段３２は、任意の移動局３についてサーバ６から移動予定データが送られてくると、その移動局３に関連する更新前の移動予定データが全移動予定データ記憶手段３５に存在するか否かを判別し、全移動予定データ記憶手段３５に更新前の移動予定データが存在しなければ、サーバ６からの移動予定データを全移動予定データ記憶手段３５に新たな移動予定データとしてそのまま記憶させる一方で、全移動予定データ記憶手段３５に更新前の移動予定データが存在すれば、その更新前の移動予定データをサーバ６からの移動予定データに書き換えて、全移動予定データ記憶手段３５に記憶させるものである。また、移動局位置表示制御手段３３は、主に各移動局３の位置表示に関して、モニター装置１２に必要な映像信号を送出し、当該モニター装置１２を制御するためのもので、具体的にはサーバ６に予め記憶されたゴルフ場の地図情報（例えば、全コースまたは一乃至複数コースの平面図）を、送受信部３６を通して取り込み、その地図情報に重ね合せて、各移動局３の現在位置をモニター装置１２にリアルタイムで表示させる機能を有する。ここでの各移動局３の現在位置は、全移動予定データ記憶手段３５に記憶される移動予定データの中で、計時手段３４でカウントされる現在時刻に一致する時刻に対応した位置を読み出すことで特定できる。
【００２１】
図３は、本発明に関連する移動局３の機能的な構成を示したものである。同図において、４１は前記本体２２，２３に組み込まれた制御手段であり、この制御手段４１は前述した移動局ソフトウェアにより動作する移動予定データ取得手段４２，スタート指示手段４３および位置判定手段４４の他に、現在時刻をカウントする計時手段４５をそれぞれ備えている。また４６は、前述した移動局３の記憶手段の中で、特にその移動局３自体の運用に関する移動予定データを記憶するために設けられた移動予定データ記憶手段である。
【００２２】
移動局３にはその他に、電気通信回線５に接続する送受信部４７と、位置検出装置としてのＧＰＳ受信機４８を備え、送受信部４７を通して移動局３とサーバ６との間で各種データの双方向通信が可能になっている。また、ＧＰＳ受信機４８は周知のように、人工衛星４９から発信される所定の周波数の時刻信号波を受信することにより、ある時刻における移動体３ひいてはプレーヤの位置（経度，緯度，高度）を、測位データとして制御手段４１にリアルタイムで送出するものである。
【００２３】
移動予定データ取得手段４２は、前記基地局２の移動予定データ取得手段３２と同様の機能を有し、自身の移動局３についてサーバ６から更新した移動予定データが送られてくると、その移動局３に関連する更新前の移動予定データが移動予定データ記憶手段４６に存在するか否かを判別し、移動予定データ記憶手段４６に更新前の移動予定データが存在しなければ、サーバ６からの移動予定データを移動予定データ記憶手段４６に新たな移動予定データとしてそのまま記憶させる一方で、移動予定データ記憶手段４６に更新前の移動予定データが存在すれば、その更新前の移動予定データをサーバ６からの移動予定データに書き換えて、移動予定データ記憶手段４５に記憶させるものである。
【００２４】
スタート指示手段４３は、操作キー２６，２８からプレー開始を知らせるスタート信号が入力されると、これをスタート情報としてサーバ６に送出するものである。ここでいうスタート情報には、移動局３の現在位置や、スタート信号が入力されたときの計時手段４５の時刻を含ませてもよい。移動局３の現在位置は、例えばＧＰＳ受信機４８からの測位データを用いてもよい。サーバ６は、移動局３からのスタート情報を受けて、その移動局３に対する移動予定データを自動的に作成し、これをサーバ６の記憶手段（図示せず）に記憶蓄積すると共に、基地局２と通信を行なった移動局３にそれぞれ送出するように構成される。
【００２５】
位置判定手段４４は、ＧＰＳ受信機４８から送出される測位データと、移動予定データ記憶手段４６に記憶される移動予定データとを比較して、前記測位データから特定される移動局３の実際の位置と、移動予定データに含まれる同じ時刻の位置との間の距離が所定値を超えた場合にのみ、送受信部４７を通してサーバ６に通信を行なって、移動局３の実際の位置を送出する機能を有する。サーバ６は、移動局３からの実際の位置を受取ると、その移動局３に対する更新前の移動予定データを、サーバ６の記憶手段から読み出して、移動局３の実際の位置を反映した移動予定データに更新し、この更新した移動予定データをサーバ６の記憶手段に記憶蓄積すると共に、基地局２と通信を行なった移動局３にそれぞれ送出するように構成される。
【００２６】
その他に計時手段４５は、基地局２の計時手段３４と互いの現在時刻を同期させてもよい。それにより、各移動局３のより正確な運用管理が可能になる。サーバ６にも同様の計時手段（図示せず）が設けられているので、この計時手段の現在時刻に計時手段３４，４５の各現在時刻を同期させてもよい。サーバ６に計時手段を備えていれば、スタート情報にスタート信号が入力されたときの現在時刻が含まれていなくても、サーバ６はスタート情報を受信した時刻を自身の計時手段で特定することで、移動予定データを自動的に作成できる。
【００２７】
また、図示してはいないが、制御手段４１には基地局２の移動局位置表示制御手段３３と同様の表示制御手段を備えている。当該表示制御手段は、具体的にはサーバ６から送受信部３６を通して、ゴルフ場の地図情報を取り込み、その地図情報に重ね合せて、自身の現在位置だけでなく、必要に応じて周辺の移動局３の現在位置もサーバ６から取り込んで、これらをモニター装置１２にリアルタイムで表示させる機能を有する。
【００２８】
次に上記構成について、特に本発明に関連するゴルフ場運用管理システムの作用を図４のフローチャートに基づき説明する。なお、以下に説明するサーバ６の動作や機能は、基地局２に含めたものとしてもよい。
【００２９】
ゴルフ場内でプレーヤが運用を開始する際に、そのプレーヤが携帯保持する移動局３のタッチパッド２６を適宜操作して、スタート信号を入力する（ステップＳ１）。これを受けて当該移動局３の制御手段４１では、プレー開始時点の移動局３の現在位置と、場合によってはスタート信号が入力されたときの計時手段４５の現在時刻とを含めて、プレー開始を知らせるスタート情報を、スタート指示手段４３により送受信部４７を利用してサーバ６へ送出する。
【００３０】
サーバ６は、特定の移動局３からのスタート情報を受信すると、その後の移動局３の予測される時刻と位置とを算出した移動予定データを自動的に作成する。この移動予定データは、サーバ６の記憶手段に記憶蓄積されると共に、基地局２と通信を行なった移動局３にもそれぞれ送出される（ステップＳ２）。なお、サーバ６は全ての移動局３からのスタート情報を受信できるようになっているので、短時間に複数の移動局３からスタート情報が送出された場合に、サーバ６は、スタート情報に含まれる移動局３の現在位置や、スタート信号を入力した時刻を考慮して、移動局３が集中して同じルートを移動しないように、インとアウトに移動ルートを振り分けて、各移動局３の移動予定データを作成するのが好ましい。
【００３１】
基地局２側では、移動予定データ取得手段３２がサーバ６から特定の移動局３に関する移動予定データを受取ると、その移動局３に関連する移動予定データが全移動予定データ記憶手段３５に存在するか否かを判別する。プレーヤのスタート直後は、そのプレーヤの保有する移動局３に関する移動予定データが、全移動予定データ記憶手段３５に記憶されていないので、サーバ６からの移動予定データがそのまま全移動予定データ記憶手段３５に上書きされることなく新規記憶される（ステップＳ３）。
【００３２】
同様に移動局３側でも、移動予定データ取得手段３２がサーバ６から当該移動局３に関する移動予定データを受取ると、移動予定データ記憶手段４６に更新前の移動予定データが存在するか否かを判別する。プレーヤのスタート直後は、移動予定データ記憶手段４６に更新前の移動予定データが記憶されていないので、サーバ６からの移動予定データがそのまま移動予定データ記憶手段４６に上書きされることなく新規記憶される（ステップＳ３）。
【００３３】
その後のステップＳ４において、移動局３は位置判定手段４４を利用して、ＧＰＳ受信機４８から送出される測位データに対して、移動予定データ記憶手段４６に記憶される移動予定データとの比較をリアルタイムに行ない、ある時刻で測位データから得られた移動局３の実際の位置が、移動予定データに含まれる同じ時刻の位置（予定位置）に対して、どの程度離れているのかを判定する。仮に同時刻における実際の位置と予定位置との間の距離が所定値以下であれば、位置判定手段４４は携帯電話網５Ａを利用することによる通信コストを回避するために、サーバ６への通信を行なわず、ステップＳ５の手順を行なわずにステップＳ６の手順に移行する。
【００３４】
一方、同時刻における実際の位置と予定位置との間の距離が所定値を超えていれば、ステップＳ５の手順に移行し、送受信部４７を通してサーバ６に通信を行なって、移動局３の実際の位置に関する情報を送出する。サーバ６は、移動局３からの実際の位置を受取ると、その移動局３に対する更新前の移動予定データを読み出して、移動局３の実際の位置を反映した移動予定データに更新し、この更新した移動予定データをサーバ６の記憶手段に記憶蓄積すると共に、基地局２と通信を行なった移動局３にそれぞれ送出する。
【００３５】
これを受けて基地局２の移動予定データ取得手段３２は、その移動局３に関する更新前の移動予定データが全移動予定データ記憶手段３５に存在するか否かを判別するが、既に全移動予定データ記憶手段３５には更新前の移動予定データが存在するので、その更新前の移動予定データをサーバ６からの更新後の移動予定データに書き換えて、全移動予定データ記憶手段３５に記憶させる。また、移動局３の移動予定データ取得手段４２も、その移動局３に関する更新前の移動予定データが移動予定データ記憶手段４６に存在するか否かを判別し、この場合には移動予定データ記憶手段４６に更新前の移動予定データが存在するので、その更新前の移動予定データをサーバ６からの更新後の移動予定データに書き換えて、移動予定データ記憶手段４６に記憶させる。こうして、ある時間に移動局３の実際の位置が予定の位置から所定値を超えて離れているときにのみ、サーバ６に移動局３の実際の位置を送出することで、サーバ６と基地局２および移動局３との間で通信が確立されていれば、基地局２と移動局３の双方で、更新後の移動予定データを上書き更新させることが可能になり、次のステップＳ６の手順に移行する。
【００３６】
ステップＳ６において、基地局２の移動局位置表示制御手段３３は、全移動予定データ記憶手段３５に記憶された移動予定データの時刻と位置に従って移動局３が移動しているものと見なし、その移動予定データの時刻と位置を、地図情報上に重ね合せてモニター装置１２に表示させる。また移動局３も、移動予定データ記憶手段４６に記憶された移動予定データの時刻と位置に従って、自身の移動局３が移動しているものと見なし、その移動予定データの時刻と位置を、地図情報上に重ね合せて表示器２５に表示させる。上記ステップＳ４〜ステップＳ６の各手順は、ステップＳ７で移動局３からプレイ終了の指示がなされるまで継続して行われる。
【００３７】
ところで、移動局３が無通信エリア内に存在する場合は、サーバ６との間で通信が確立されず、前記ステップＳ５で移動局３の実際の位置に関する情報を、サーバ６に伝達することができない。この場合、無通信エリア内に例えば無線ＬＡＮなどの第２の電気通信回線による通信を可能にする送受信機を設置し、この送受信機を介して移動局３とサーバ６との間の通信を確立するように構成してもよい。こうすることで、可及的速やかに移動予定データを、移動体３の実際の位置に合せて正しく修正することができる。
【００３８】
その後のステップＳ７の手順で、プレーヤがゴルフ場内のプレイを全て終了し、移動局３のタッチパッド２６を利用してプレイ終了の指示を入力すると、移動局３の移動予定データ記憶手段４６に記憶された移動予定データは削除または別な場所に移動すると共に、サーバ６を通して基地局２にも伝達され、基地局２の全移動定データ記憶手段４６に記憶された移動局３に関する移動予定データも削除または別な場所に移動して終了する。
【００３９】
以上のように本実施例では、ゴルフ場内に存在する複数の移動局３と、この移動局３と電気通信回線５を介して接続されるセンター装置としてのサーバ６とを備え、移動局３は、当該移動局３の位置を検出する位置検出装置としてのＧＰＳ受信機４８と、当該移動局３の予測される時刻と位置とを関連付けた移動予定データを記憶する移動予定データ記憶手段４６と、ＧＰＳ受信機４８からの検出出力である測位データによって得られた当該移動局３のある時刻における実際の位置が、移動予定データ記憶手段４６に記憶される同じ時刻の位置から所定値を超えて離れているときにのみ、前記ある時刻における実際の位置をサーバ６に送出する位置判定手段４４とを備え、前記サーバ６は、前記移動局３からの実際の位置を受取ると、前記移動予定データ記憶手段４６に記憶される移動予定データを上書きするための更新した移動予定データを、前記移動局３に送出する構成としている。
【００４０】
この場合、移動局３のある時刻における実際の位置が、移動予定データ記憶手段４６に記憶される同じ時刻の位置から所定値を超えて離れているときには、サーバ６に実際の位置を知らせるために、サーバ６への通信を行なうが、それ以外は、当該移動局３が無通信エリアに存在する否かに拘らず、サーバ６への通信を行なわない。したがって、移動局３からサーバ６に対して、必要以外の通信を抑制することで、電気通信回線５を利用する上での通信料の削減を図ることが可能になる。また、サーバ６への通信を行なうのは、移動局３のある時刻における実際の位置と、移動予定データ記憶手段４６に記憶される同じ時刻の位置との間の距離が、所定値を超えている場合に限られるので、移動局３が無通信エリアにある場合でも、その移動局３の位置を正しく基地局２，移動局３およびサーバ６で把握できる。
【００４１】
また本実施例では、サーバ６に接続する基地局２をさらに備え、前記サーバ６は、前記移動局３に送出する更新した移動予定データを、前記基地局２にも送出するように構成し、前記基地局２は、前記複数の移動局３に関する全ての移動予定データを記憶する全移動予定データ記憶手段３５と、前記サーバ６から前記移動局３に送出する更新した移動予定データを受取ると、その移動局３に関して前記全移動予定データ記憶手段３５に記憶される移動予定データを、前記更新した移動予定データに書き換える移動予定データ取得手段３２と、前記全移動予定データ記憶手段３５に記憶する移動予定データから、各移動局３の位置を時々刻々と表示する表示手段としてのモニター装置１２と、を備えている。
【００４２】
このようにすると、サーバ６から基地局２への通信を必要最小限に抑えつつ、ゴルフ場内における各移動局３の正しい位置を、モニター装置１２によって時々刻々と表示することができる。
【００４３】
さらに好ましくは、無通信エリア内においても移動局３とサーバ６との通信を確立するために、第２の電気通信回線を設けることで、各移動局３の移動予定データを、の実際の位置に合せて可及的速やかに正しく修正することができる。
【００４４】
以上、本発明を実施例に基づいて説明したが、本発明は上記実施例に限定されるものではなく、本発明の趣旨を逸脱しない範囲で種々の変更実施が可能である。例えば上記実施例では、基地局２としての機能の一部をサーバ６に分散させたが、サーバ６を基地局２に含めてもよい。また移動局３の形態として、タブレット端末以外のＧＰＳ受信機４８を内蔵する端末を用いてもよい。
【符号の説明】
【００４５】
２  基地局
３  移動局
５  電気通信回線
６  サーバ（センター装置）
１２  モニター装置（表示手段）
３２  移動予定データ取得手段
３５  全移動予定データ記憶手段
４４  位置判定手段
４６  移動予定データ記憶手段
４８  ＧＰＳ受信機（位置検出装置）
【図１】
2013055556.tif 000003
【図２】
2013055556.tif 000004
【図３】
2013055556.tif 000005
【図４】
2013055556.tif 000006